(57)【要約】【課題】患者さんが歯科治療椅子に座った時に、座った位置がどこであれ、座ったままの状態で、座部を移動して患者さんの口腔の位置を診療しやすい所定の位置にして歯科治療をしやすくする。【解決手段】座板４と背凭れ３と前記座板４上に移動可能な座部１０を有し、該座部１０は患者が腰掛けた時の圧力分布を検出する圧力センサ１１11〜１１ｍｎを有する。患者が座位した時の圧力分布を検出し、その圧力分布に応じて座部１０を移動して、背凭れ３に対する患者の口腔位置を一定にして治療しやすい状態にする。座部１０は、前記座板４上を左右（または前後）に移動可能な下側座部１０1と、該下側座部１０1上を前後（又は左右）に移動可能な上側座部１０2とを有し、該上側座部１０2に前記圧力センサ１１11〜１１ｍｎを有する。【選択図】図１
2007068769.tif 000002
【特許請求の範囲】
【請求項１】
座板と背凭れと前記座板上に移動可能な座部を有し、該座部は患者が腰掛けた時の圧力分布を検出する圧力センサを有し、該圧力分布に応じて前記座部を移動して、背凭れに対する患者の口腔位置を一定にするようにしたことを特徴とする歯科用治療椅子。
【請求項２】
前記座部は、前記座板上を左右（または前後）に移動可能な下側座部と、該下側座部上を前後（又は左右）に移動可能な上側座部とを有し、該上側座部に前記圧力センサを有することを特徴とする請求項１に記載の歯科用治療椅子。
【発明の詳細な説明】
【技術分野】
【０００１】
本発明は、歯科用治療椅子、より詳細には、患者さんが歯科治療椅子に座った時に、患者さんが座った位置に関係なく、患者さんの口腔位置と背凭れの関係を所定の関係に保つようにし、もって、治療の精度を上げ、或いは、患者さんの座り心地を安定させるようにしたものである。
【背景技術】
【０００２】
図３は、従来の歯科治療用椅子の一例の概略を説明するための外観図で、図中、１は基台、２はヘッドレスト、３はバックレスト（背凭れ）、４はコンターシート（座板）、５はレッグレスト、６はフットレスト（ステップ）である。歯科治療に当り、患者さんは、この歯科治療椅子に座るが、その際、座る位置が必ずしも一定せず、前後方向にずれて座ったり、左右方向にずれて座ったり等し、安頭台２或いはバックレスト３に対する患者さんの口腔位置が一定せず、歯科治療がしにくい等の問題があった。また、患者さんは、バックレスト３に対して背中が安定せず、座り心地が不安定である等の問題があった。
【発明の開示】
【発明が解決しようとする課題】
【０００３】
本発明は、上述のごとき実情に鑑みてなされたもので、患者さんが歯科治療椅子に座った時に、座った位置を検出し、座った位置がどこであれ、座ったままの状態で、座部を移動して患者さんを所定の位置に移動し、患者さんとバックレストの関係を所定の関係に保ち、患者さんの口腔の位置を診療しやすい所定の位置にして歯科治療をしやすくし、同時に、患者さんの座り心地を安定に保つようにすることを目的としてなされたものである。
【課題を解決するための手段】
【０００４】
請求項１の発明は、座板と背凭れと前記座板上に移動可能な座部を有し、該座部は患者が腰掛けた時の圧力分布を検出する圧力センサを有し、該圧力分布に応じて前記座部を移動して、背凭れに対する患者の口腔位置を一定にするようにしたことを特徴としたものである。
【０００５】
請求項２の発明は、請求項１の発明において、前記座部は、前記座板上を左右（または前後）に移動可能な下側座部と、該下側座部上を前後（又は左右）に移動可能な上側座部とを有し、該上側座部に前記圧力センサを有することを特徴としたものである。
【発明の効果】
【０００６】
患者さんが歯科治療椅子に座った時に、座った位置を検出し、座った位置がどこであれ、座ったままの状態で座部を移動して患者さんを所定の位置に移動し、患者さんとバックレストの関係を所定の関係に保ち、患者さんの口腔の位置を所定の位置にするようにしたので、術者は歯科治療がしやすく、患者さんは座り心地が安定する。
【発明を実施するための最良の形態】
【０００７】
図１は、本発明による歯科用治療椅子の一実施例を説明するための全体斜視図、図２は側面図で、図中、１０は、本発明によって追加された座部で、その他の参照番号１−６は、図３に示した従来技術と同じ機能、同じ動作をする。座部１０は、座板（コンターシート）４上に前後方向（矢印Ａ方向及び左右Ｂ方向）に移動可能に取り付けられており、レッグレスト５、及びフットレスト６も、該座部１０と一体的に移動可能に取り付けられている。なお、バックレスト（背凭れ）３は、座板（コンターシート）４と一体的に取り付けられており、周知のように、前後に傾動はするが移動（スライド）はしない。
【０００８】
座部１０の表面には、縦横方向（Ａ方向及びＢ方向）に多数の感圧素子１１11〜１１ｍｎが設けられており、患者さんが該座部１０の上に座った時に、各感圧素子は、受けた圧力に応じた電圧を発生し、それによって、患者さんが座った位置を知ることができる。
【０００９】
座部１０は、通常は、所定の位置（例えば、患者さんが中心に座った時は、患者さんの背中とバックレスト３とが整合し、患者さんの口腔位置が所定の位置になる位置）にあるが、患者さんが、中心からずれて座った時は、座部１０が前後及び／又は左右に移動し、患者さんの座っている位置が前記の中心位置になるように移動されるようになっている。
【００１０】
座部１０は、上下２枚の座部１０1，１０2とから成り、下側の座部１０1が前後Ａ方向（又は左右Ｂ方向）に移動可能に座板（コンターシート）４上に取り付けられ、この下側座部１０1の上に上側座部１０2が左右Ｂ方向（又は前後Ａ方向）に移動可能に取り付けられており、この上側座部１０2に感圧素子１１11〜１１ｍｎがマトリックス状に配設されており、患者さんが座位した時の圧力分布より患者さんの臀部の位置を検出し、例えば、一番圧力のかかっている場所を所定の位置にもってくるようにする。
【００１１】
座部１０の移動は、座部１０（１０1，１０2）自身が前後方向及び左右方向に移動（スライド）するようにしてもよいが、下側座部１０1を前後又は左右方向に移動（スライド）可能とし、該上側座部１０2を左右方向又は前後方向にベルトコンベアのようにロールにより移動可能とすることも可能である。
【００１２】
なお、図には、座部１０の移動の仕方については詳細に記載されていないが、動力源は電気、油圧、エアー圧等のいずれでも良く、また、座板４と下側座部１０1との間、下側座部１０1と上側座部１０2との間の機械的な連結機構もレール式、ローラ式等任意所望の機構を用いることができる。
【００１３】
上述のように、本発明によると、歯科治療に当り、患者さんが歯科用治療椅子に座った時に、座った位置が予め定められた所定の位置（例えば、中心位置）からずれていたとしても、そのずれを自動的に検知して、患者さんを予め定められた所定の位置に移動するようにしたので、患者さんとバックレストの関係を所望の関係に保つことができ、従って、患者さんの座り心地を安定させ、かつ、患者さんの口腔の位置を所定の位置にもってくる（治療位置にずれがない）ので、歯科治療がしやすく、歯科治療の精度を上げることができる。
【図面の簡単な説明】
【００１４】
【図１】本発明による歯科用治療椅子の一実施例を説明するための全体斜視図である。
【図２】本発明による歯科用治療椅子の一実施例を説明するための側面図である。
【図３】従来の歯科治療用椅子の一例の概略を説明するための外観図である。
【符号の説明】
【００１５】
１…基台、２…ヘッドレスト、３…バックレスト（背凭れ）、４…コンターシート（座板）、５…レッグレスト、６…フットレスト（ステップ）、１０…座部（１０1…下側座部，１０2…上側座部）、１１11〜１１…感圧素子。
【図１】
2007068769.tif 000003
【図２】
2007068769.tif 000004
【図３】
2007068769.tif 000005